(57)【要約】【課題】機能の変更時におけるレバー操作数を削減して変更作業を簡単に行うことができるワイパスイッチ装置を提供する。【解決手段】自動車に配置された装置本体２と、装置本体２に配置され、タッチ力を検出するセンサ部８を含んで自動車のワイパに複数の機能「ＩＮＴ」，「ＬＯ」，「ＨＩ」,「ＭＩＳＴ」を実行させるためのスイッチ信号ＳＷ１〜ＳＷ４を出力するワイパスイッチ４と、ワイパスイッチ４に接続され、センサ部８からのスイッチ信号ＳＷ４を入力して複数の機能のうち特定の機能「ＭＩＳＴ」をワイパに実行させるための制御信号Ｃ４を出力するＥＣＵ５とを備えた。【選択図】図２
2012040909.tif 000002
【特許請求の範囲】
【請求項１】
車両に配置された装置本体と、
前記装置本体に配置され、タッチ力を検出するセンサ部を含んで前記車両のワイパに複数の機能を実行させるためのスイッチ信号を出力するワイパスイッチと、
前記ワイパスイッチに接続され、前記センサ部からのスイッチ信号を入力して前記複数の機能のうち特定の機能を前記ワイパに実行させるための制御信号を出力する制御部と
を備えたワイパスイッチ装置。
【請求項２】
前記制御部は、前記特定の機能として一往復動作の機能を前記ワイパに実行させるための制御信号を出力する請求項１に記載のワイパスイッチ装置。
【請求項３】
前記装置本体は、前記車両のステアリングコラムに方向指示スイッチ用の操作レバーを介して回転可能に配置されている請求項１又は２に記載のワイパスイッチ装置。
【発明の詳細な説明】
【技術分野】
【０００１】
本発明は、ワイパスイッチ装置に関し、特に自動車等のワイパのスイッチ動作を実行するためのワイパスイッチ装置に関する。
【背景技術】
【０００２】
自動車には、ウィンドウの汚れや雨滴等を払拭するワイパを動作させるためのワイパスイッチを備えたワイパスイッチ装置が装備されている。
【０００３】
従来、この種のワイパスイッチ装置には、ワイパスイッチを操作可能な操作レバーを備えたものがある（特許文献１）。
【０００４】
操作レバーは、ステアリングコラムの左側に配置されている。そして、操作レバーは、「ＯＦＦ（停止）」のスイッチポジションを境に運転席側から見て時計回りの回転によって「ＩＮＴ（間欠）」，「ＬＯ（低速）」及び「ＨＩ（高速）」の各スイッチポジションに順に、また反時計回りの回転によって「ＭＩＳＴ（一回拭き）」のスイッチポジションにそれぞれ配置することにより、各機能を実行するように構成されている。
【０００５】
このように構成されたワイパスイッチ装置においては、ワイパのスイッチ動作が操作レバーのレバー操作によって「ＭＩＳＴ」，「ＯＦＦ」，「ＩＮＴ」，「ＬＯ」及び「ＨＩ」の各スイッチポジションに切り換えることにより行われる。
【先行技術文献】
【特許文献】
【０００６】
【特許文献１】特開２０００−３０６４７０号公報
【発明の概要】
【発明が解決しようとする課題】
【０００７】
しかしながら、特許文献１に示す従来のワイパスイッチ装置によると、例えば「ＩＮＴ」機能の実行時に一時「ＭＩＳＴ」の機能を実行する場合には「ＩＮＴ」のポジションから「ＯＦＦ」のポジションを介して「ＭＩＳＴ」のポジションに操作レバーを回転操作し、その後「ＩＮＴ」のスイッチポジションに戻すために「ＭＩＳＴ」のポジションから「ＯＦＦ」のポジションを介して「ＩＮＴ」のポジションに操作レバー３を回転操作して配置する作業が必要になる。この結果、機能の変更時にレバー操作数が嵩み、その変更作業を煩雑にするという問題があった。
【０００８】
従って、本発明の目的は、機能の変更時における操作数を削減することができ、もってその変更作業を簡単に行うことができるワイパスイッチ装置を提供することにある。
【課題を解決するための手段】
【０００９】
本発明は、上記目的を達成するために、（１）〜（３）のワイパスイッチ装置を提供する。
【００１０】
（１）車両に配置された装置本体と、前記装置本体に配置され、タッチ力を検出するセンサ部を含んで前記車両のワイパに複数の機能を実行させるためのスイッチ信号を出力するワイパスイッチと、前記ワイパスイッチに接続され、前記センサ部からのスイッチ信号を入力して前記複数の機能のうち特定の機能を前記ワイパに実行させるための制御信号を出力する制御部とを備えたワイパスイッチ装置。
【００１１】
（２）上記（１）に記載のワイパスイッチ装置において、前記制御部は、前記特定の機能として一往復動作の機能を前記ワイパに実行させるための制御信号を出力する。
【００１２】
（３）上記（１）又は（２）に記載のワイパスイッチ装置において、前記装置本体は、前記車両のステアリングコラムに方向指示スイッチ用の操作レバーを介して回転可能に配置されている。
【発明の効果】
【００１３】
本発明によると、機能の変更時における操作数を削減することができ、機能の変更作業を簡単に行うことができる。
【図面の簡単な説明】
【００１４】
【図１】本発明の第１の実施の形態に係るワイパスイッチ装置を模式化して示す正面図。
【図２】本発明の第１の実施の形態に係るワイパスイッチ装置を説明するために示すブロック図。
【図３】本発明の第２実施の形態に係るワイパスイッチ装置を模式化して示す正面図。
【図４】本発明の第２の実施の形態に係るワイパスイッチ装置を説明するために示すブロック図。
【図５】本発明の第３の実施の形態に係るワイパスイッチ装置を模式化して示す正面図。
【発明を実施するための形態】
【００１５】
[第１の実施の形態]
以下、本発明の第１実施の形態に係るワイパスイッチ装置につき、図１及び図２を用いて説明する。
【００１６】
（ワイパスイッチ装置の全体構成）
図１はレバースイッチ装置の全体を示す。図２はレバースイッチ装置の制御系を示す。図１及び図２において、符号１で示す自動車用のワイパスイッチ装置は、複数のスイッチポジション「ＯＦＦ」，「ＩＮＴ」，「ＬＯ」及び「ＨＩ」を有する装置本体２と、この装置本体２に対しレバー操作によって回転する操作レバー３と、この操作レバー３の回転操作及びタッチ操作によってスイッチ動作を実行するワイパスイッチ４と、このワイパスイッチ４からのスイッチ信号ＳＷ１〜ＳＷ４を入力して制御信号Ｃ１〜Ｃ４を出力する制御部としてのＥＣＵ（Electronic Control Unit：ＥＣＵ）５とから大略構成されている。
【００１７】
本実施の形態におけるワイパスイッチ装置１は、モーメンタリ型のスイッチ装置であるため、操作レバー３がスイッチポジション「ＩＮＴ」，「ＬＯ」及び「ＨＩ」のいずれかのスイッチポジションに一旦到達すると、このスイッチポジションに対応する制御モードが継続して実行される。この実行は、その後に操作レバー３が他のスイッチポジションに回転操作されると、変更又は解除される。
【００１８】
（装置本体２の構成）
装置本体２は、スイッチ基板６を内蔵し、自動車用ステアリングコラム（図示せず）の例えば右側に配置され、全体が略角形状の箱部材によって形成されている。
【００１９】
スイッチ基板６には、複数のスイッチポジション「ＩＮＴ」，「ＬＯ」，「ＨＩ」に対応する固定接点２ａ〜２ｃが実装されている。固定接点２ａはＩＮＴ用固定接点として、固定接点２ｂはＬＯ用固定接点として、また固定接点２ｃはＨＩ用固定接点としてそれぞれ機能する。
【００２０】
（操作レバー３の構成）
操作レバー３は、レバー操作部３ａ及びホルダ取付部３ｂを有し、装置本体２に支軸３ｃを介して矢印ａ１，ａ２方向に回転可能に配置され、全体が略円筒状の成形体によって形成されている。そして、操作レバー３は、レバー回転操作によってスイッチポジション「ＯＦＦ」とスイッチポジション「ＨＩ」との間を回転し、スイッチポジション「ＩＮＴ」で間欠動作を、スイッチポジション「ＬＯ」で低速動作を、またスイッチポジション「ＨＩ」で高速動作をそれぞれワイパ（図示せず）に実行させるように構成されている。
【００２１】
レバー操作部３ａは装置本体２外に露出され、ホルダ取付部３ｂは装置本体２内に収容されている。
【００２２】
（ワイパスイッチ４の構成）
ワイパスイッチ４は、固定接点２ａ〜２ｃ及び可動接点７からなるスイッチ部８と、タッチセンサからなるセンサ部９とを有し、装置本体２内に配置されている。
【００２３】
スイッチ部８は装置本体２内に配置されている。そして、スイッチ部８は、「ＩＮＴ」，「ＬＯ」及び「ＨＩ」の各機能をワイパに実行させるスイッチ信号ＳＷ１〜ＳＷ３を出力するように構成されている。これにより、固定接点２ａと可動接点７との接触によってスイッチ信号ＳＷ１が、固定接点２ｂと可動接点７との接触によってスイッチ信号ＳＷ２が、固定接点２ｃと可動接点７との接触によってスイッチ信号ＳＷ３がそれぞれ出力される。
【００２４】
センサ部９は、例えばフィルムシートにＩＴＯ（インジウム錫酸化物）等の電極を形成してなる静電容量式センサであって、レバー操作部３ａの外周面にその周方向に沿って取り付けられ、かつＥＣＵ５のセンサ処理回路１２に接続されている。そして、センサ部９は、「ＭＩＳＴ」動作をワイパに実行させるスイッチ信号ＳＷ４を出力するように構成されている。これにより、センサ部９へのタッチ操作によってセンサ信号（スイッチ信号ＳＷ４）が出力される。
【００２５】
（ＥＣＵ５の構成）
ＥＣＵ５は、マイクロコンピュータ（マイコン）１０と、その周辺回路としてのスイッチ回路１１，センサ処理回路１２及び駆動回路１３を有し、ワイパスイッチ４及びワイパ駆動機構１４に接続されている。そして、ＥＣＵ５は、ワイパスイッチ４によるスイッチ動作が行われた場合にスイッチ信号ＳＷ１〜ＳＷ４の検出有無を判定し、この判定結果に基づいてワイパ駆動機構１４（ワイパ）を駆動するための制御信号Ｃ１〜Ｃ４を出力するように構成されている。これにより、ワイパにおける複数の機能（「ＭＩＳＴ」，「ＩＮＴ」，「ＬＯ」及び「ＨＩ」）のうち特定の機能が実行される。
【００２６】
マイコン１０は、ＣＰＵ（Central Processing Unit：ＣＰＵ），ＲＡＭ（Random Access Memory：ＲＡＭ）及びＲＯＭ（Read Only Memory：ＲＯＭ）等からなり、スイッチ回路１１，センサ処理回路１２及び駆動回路１３に接続されている。そして、マイコン１０は、スイッチ回路１１からのスイッチ信号ＳＷ´１，〜ＳＷ´３及びセンサ処理回路１２からのスイッチ信号ＳＷ´４入力して駆動回路１３に制御信号Ｄ１〜Ｄ４を出力するように構成されている。
【００２７】
スイッチ回路１１は、ワイパスイッチ４及びマイコン１０に接続されている。そして、スイッチ回路１１は、固定接点２ａ〜２ｃからのスイッチ信号ＳＷ１〜ＳＷ３を入力してそのオン・オフ状態を検出し、マイコン１０にスイッチ信号ＳＷ´１〜ＳＷ´３を出力するように構成されている。
【００２８】
センサ処理回路１２は、センサ部９及びマイコン１０に接続されている。そして、センサ処理回路１２、センサ部９らのスイッチ信号ＳＷ４を入力してその静電容量の変化を検出し、マイコン１０イッチ信号ＳＷ´４を出力するように構成されている。
【００２９】
駆動回路１３、マイコン１０及びワイパ駆動機構１４に接続されている。そして、駆動回路１３は、マイコン１０からの制御信号Ｄ１〜Ｄ４を入力してワイパ駆動機構１４の各駆動部１４ａ〜１４ｄ（ＩＮＴ駆動部１４ａ，ＬＯ駆動部１４ｂ，ＨＩ駆動部１４ｃ及びＭＩＳＴ駆動部１４ｄ）を選択し、各駆動部１４ａ〜１４ｄに制御信号Ｃ１〜Ｃ４を出力するように構成されている。
【００３０】
（ワイパスイッチ装置の動作）
次に、本発明の実施の形態に係るワイパスイッチ装置の動作について説明する。
【００３１】
本実施の形態に示すワイパスイッチ装置の動作は、『ＩＮＴ』，『ＬＯ』，『ＨＩ』及び『ＭＩＳＴ』の各ワイパ動作であるため、これら各ワイパ動作について説明する。
【００３２】
『ＩＮＴ』
操作者が時計回り（矢印ａ１方向）に操作レバー３を回転操作してスイッチポジション「ＩＮＴ」に配置すると、ワイパスイッチ４が「ＩＮＴ」状態とされる。これにより、ワイパが「ＩＮＴ」動作を実行する。
【００３３】
この場合、ＥＣＵ５では、マイコン１０がＩＮＴ用固定接点２ａからスイッチ回路１１を介してスイッチ信号ＳＷ１を入力すると、ワイパ駆動機構１４のＩＮＴ駆動部１４ａに駆動回路１３を介して制御信号Ｃ１を出力する。このため、ワイパの間欠動作が実行される。
【００３４】
『ＬＯ』
操作者が矢印ａ１方向に操作レバー３を回転操作してスイッチポジション「ＬＯ」に配置すると、ワイパスイッチ４が「ＬＯ」状態とされる。これにより、ワイパが「ＬＯ」動作を実行する。
【００３５】
この場合、ＥＣＵ５では、マイコン１０がＬＯ用固定接点２ｂからスイッチ回路１１を介してスイッチ信号ＳＷ２を入力すると、ワイパ駆動機構１４のＬＯ駆動部１４ｂに駆動回路１３を介して制御信号Ｃ２を出力する。このため、ワイパの低速動作が実行される。
【００３６】
『ＨＩ』
操作者が矢印ａ１方向に操作レバー３を回転操作してスイッチポジション「ＨＩ」に配置すると、ワイパスイッチ４が「ＨＩ」状態とされる。これにより、ワイパが「ＨＩ」動作を実行する。
【００３７】
この場合、ＥＣＵ５では、マイコン１０がＬＯ用固定接点２ｃからスイッチ回路１１を介してスイッチ信号ＳＷ３を入力すると、ワイパ駆動機構１４のＨＩ駆動部１４ｃに駆動回路１３を介して制御信号Ｃ３を出力する。このため、ワイパの高速動作が実行される。
【００３８】
『ＭＩＳＴ』
操作者がセンサ部９をタッチ操作すると、ワイパスイッチ４が「ＭＩＳＴ」状態とされる。これにより、ワイパが「ＭＩＳＴ」動作を実行する。
【００３９】
この場合、ＥＣＵ５では、マイコン１０がセンサ部９からセンサ処理回路１２を介してスイッチ信号ＳＷ４を入力すると、ワイパ駆動機構１４のＭＩＳＴ駆動部１４ｄに駆動回路１３を介して制御信号Ｃ４を出力する。このため、ワイパの一往復動作が実行される。
【００４０】
本実施の形態において、「ＭＩＳＴ」動作は任意のタイミングで実行することができるため、例えば「ＩＮＴ」動作時にセンサ部９へのタッチ操作によってワイパが「ＭＩＳＴ」動作が実行される。
【００４１】
[第１の実施の形態の効果]
以上説明した第１の実施の形態によれば、次に示す効果が得られる。
【００４２】
例えば「ＩＮＴ」動作時にセンサ部９へのタッチ操作によってワイパ４の「ＭＩＳＴ」動作が実行されるため、機能の変更時に従来と比較してレバー操作数を削減することができ、その変更作業を簡単に行うことができる。
【００４３】
[第２の実施の形態]
次に、本発明の第２実施の形態に係るワイパスイッチ装置につき、図３及び図４を用いて説明する。図３はレバースイッチ装置の全体を示す。図４はレバースイッチ装置の制御系を示す。図３及び図４において、図１及び図２と同一又は同等の部材については同一の符号を付し、詳細な説明は省略する。
【００４４】
図３及び図４に示すように、第２の実施の形態に示すワイパスイッチ装置２１は、センサ部８に対するタッチ操作回数によって「ＩＮＴ」，「ＬＯ」，「ＨＩ」及び「ＭＩＳＴ」の機能を実行させるためのスイッチ信号ＳＷ１〜ＳＷ４を出力するワイパスイッチ２２を備えた点に特徴がある。
【００４５】
このため、ワイパスイッチ２２には、一定時間内にセンサ部９に対するタッチ操作回数を計数するマイコン２３を有するＥＣＵ２４が接続されている。
【００４６】
これにより、例えばセンサ部９に対するタッチ操作回数が「１」である場合には、「ＭＩＳＴ」動作を実行させるためのスイッチ信号ＳＷ４がセンサ部９から出力される。そして、ＥＣＵ２３では、センサ部９からのスイッチ信号ＳＷ４を入力してタッチ操作回数を検出し、ワイパ駆動機構１４に制御信号Ｃ４が出力される。これにより、ワイパ駆動機構１４のＭＩＳＴ駆動部１４ｄが制御信号Ｃ４を入力すると、ワイパの「ＭＩＳＴ」動作が実行される。
【００４７】
同様にして、例えばセンサ部９に対するタッチ操作回数が「２」である場合には、「ＩＮＴ」動作を実行させるためのスイッチ信号ＳＷ１がセンサ部９から出力される。そして、ＥＣＵ２３では、センサ部９からのスイッチ信号ＳＷ１を入力してタッチ操作回数を検出し、ワイパ駆動機構１４に制御信号Ｃ１が出力される。これにより、ワイパ駆動機構１４のＩＮＴ駆動部１４ａが制御信号Ｃ１を入力すると、ワイパの「ＩＮＴ」動作が実行される。
【００４８】
なお、操作レバー３は、ターンシグナルスイッチ（図示せず）を操作可能なターンレバーからなり、装置本体２に支軸３ｃを介して回転可能に配置されている。また、符号２５はターンシグナルスイッチで、左シグナル用接点２５ａ，右シグナル用接点２５ｂ及び可動用の接点２５ｃを有し、スイッチ基板２６と操作レバー３との間に配置されている。これにより、操作レバー３は、中立位置Ｏを挟んで左折指示回転位置Ｌと右折指示回転位置Ｒとの間を回転操作されると、左シグナル用接点２５ａと可動用の接点２５ｃとの接触によって左折指示回転位置Ｌで左折指示のスイッチ動作が、また右シグナル用接点２５ｂと可動用の接点２５ｃとの接触によって右折指示回転位置Ｒで右折指示のスイッチ動作が実行される。
【００４９】
[第２の実施の形態の効果]
以上説明した第２の実施の形態によれば、第１の実施の形態の効果に加え、次に示す効果が得られる。
【００５０】
ワイパスイッチ２２に機械的な接点がないため、接触型スイッチのようには接触不良の問題がないばかりか、コストの低廉化を図ることができる。
【００５１】
[第３の実施の形態]
次に、本発明の第３実施の形態に係るワイパスイッチ装置につき、図５を用いて説明する。図５はレバースイッチ装置の全体を示す。図５において、図３と同一又は同等の部材については同一の符号を付し、詳細な説明は省略する。
【００５２】
図５に示すように、第３の実施の形態に示すワイパスイッチ装置３１は、センサ部８に対するタッチ操作ポジションＴ１〜Ｔ４に応じて「ＩＮＴ」，「ＬＯ」，「ＨＩ」及び「ＭＩＳＴ」の機能を実行させるためのスイッチ信号ＳＷ１〜ＳＷ４（図示せず）を出力するワイパスイッチ３２を備えた点に特徴がある。
【００５３】
このため、ワイパスイッチ３２には、センサ部９からのスイッチ信号ＳＷ１〜ＳＷ４に基づいてタッチ操作ポジションＴ１〜Ｔ４の座標を検出するＥＣＵ２４（図４に示す）が接続されている。
【００５４】
また、操作レバー３には、その外周面に円周方向に沿ってタッチ操作ポジションＴ１〜Ｔ４が配置されている。
【００５５】
これにより、例えばセンサ部９に対するタッチ操作ポジションが「Ｔ４」である場合には、「ＭＩＳＴ」動作を実行させるためのスイッチ信号ＳＷ４がセンサ部９から出力される。そして、ＥＣＵ２４では、センサ部９からのスイッチ信号ＳＷ４を入力してタッチ操作ポジションの座標を検出し、ワイパ駆動機構１４に制御信号Ｃ４（図示せず）が出力される。このため、ワイパ駆動機構１４（図４に示す）のＭＩＳＴ駆動部１４ｄ（図４に示す）が制御信号Ｃ４を入力すると、ワイパの「ＭＩＳＴ」動作が実行される。
【００５６】
同様にして、例えばセンサ部９に対するタッチ操作ポジションが「Ｔ１」である場合には、「ＩＮＴ」動作を実行させるためのスイッチ信号ＳＷ１がセンサ部９から出力される。そして、ＥＣＵ２４では、センサ部９からのスイッチ信号ＳＷ１を入力してタッチ操作回数を検出し、ワイパ駆動機構１４に制御信号Ｃ１（図示せず）が出力される。これにより、ワイパ駆動機構１４のＩＮＴ駆動部１４ａが制御信号Ｃ１を入力すると、ワイパの「ＩＮＴ」動作が実行される。
【００５７】
[第３の実施の形態の効果]
以上説明した第３の実施の形態によれば、第２の実施の形態の効果と同様の効果が得られる。
【００５８】
以上、本発明のワイパスイッチ装置を上記の実施の形態に基づいて説明したが、本発明は上記の実施の形態に限定されるものではなく、その要旨を逸脱しない範囲で種々の態様において実施することが可能であり、例えば次に示すような変形も可能である。
【００５９】
（１）上記各実施の形態では、センサ部９が静電容量式センサである場合について説明したが、本発明はこれに限定されず、例えば感圧式センサであっても差し支えない。
【００６０】
（２）上記各実施の形態では、自動車の座席側から見てワイパスイッチ装置１がステアリングシャフトの右側に配置されている場合について説明したが、本発明はこれに限定されず、ステアリングシャフトの左側にレバースイッチ装置を配置しても勿論よい。
【００６１】
（３）本実施の形態では、自動車に適用する場合について説明したが、本発明はこれに限定されず、他の車両にも本実施の形態の場合と同様に適用可能である。
【符号の説明】
【００６２】
１…ワイパスイッチ装置、２…装置本体、２ａ…ＩＮＴ用固定接点、２ｂ…ＬＯ用固定接点、２ｃ…ＨＩ用固定接点、３…操作レバー、３ａ…レバー操作部、３ｂ…ホルダ取付部、３ｃ…支軸、４…ワイパスイッチ、５…ＥＣＵ、６…スイッチ基板、７…可動用の接点部、８…スイッチ部、９…センサ部、１０…マイコン、１１…スイッチ回路、１２…センサ処理回路、１３…駆動回路、１４…ワイパ駆動機構、１４ａ…ＩＮＴ駆動部、１４ｂ…ＬＯ駆動部、１４ｃ…ＨＩ駆動部、１４ｄ…ＭＩＳＴ駆動部、２１…ワイパスイッチ装置、２２…ワイパスイッチ、２３…マイコン、２４…ＥＣＵ、２５…ターンシグナルスイッチ、２５ａ…左シグナル用接点、２５ｂ…右シグナル用接点、２５ｃ…可動用の接点、２６…スイッチ基板、３１…ワイパスイッチ装置、３２…ワイパスイッチ、ＳＷ１，ＳＷ２，ＳＷ３，ＳＷ４，ＳＷ´１，ＳＷ´２，ＳＷ´３，ＳＷ´４…スイッチ信号、Ｃ１，Ｃ２，Ｃ３，Ｃ４，Ｄ１，Ｄ２，Ｄ３，Ｄ４…制御信号、Ｔ１，Ｔ２，Ｔ３，Ｔ４…タッチ操作ポジション
【図１】
2012040909.tif 000003
【図２】
2012040909.tif 000004
【図３】
2012040909.tif 000005
【図４】
2012040909.tif 000006
【図５】
2012040909.tif 000007